(57)【要約】【課題】取付けビスの長さが、回路基板に搭載された電気電子部品と取付けビスとの相互間隔寸法に影響を与えないようにする対策を講じることによって、回路基板での電気電子部品の配置位置の制約を少なくすることのできる電気機器キャビネットの機構部品取付構造を提供する。【解決手段】回路基板４０に搭載されている電気電子部品５０とキャビネットのリアパネル２０に機構部品としてのファンユニット１０をビス止めしている取付けビス３０との相互間隔寸法Ａを、一定値以上の寸法に定めることが要求されている電気機器キャビネットの機構部品取付構造において、取付けビス３０が、リアパネル２０の内側から外側に向けてねじ込まれて、その取付けビス３０の頭部３２がキャビネットの内側に位置している。取付けビス３０の頭部３２がリアパネル２０の内面に重なり合っていてもよい。【選択図】図１
2012014207.tif 000002
【特許請求の範囲】
【請求項１】
電気機器キャビネットに収容された回路基板に搭載されている電気電子部品と上記キャビネットに機構部品をビス止めしている取付けビスとの相互間隔寸法を一定値以上の寸法に定めることが要求されている電気機器キャビネットの機構部品取付構造において、
上記取付けビスが、上記キャビネットの内側から外側に向けてねじ込まれてその取付けビスの頭部が上記キャビネットの内側に位置していることを特徴とする電気機器キャビネットの機構部品取付構造。
【請求項２】
上記回路基板が電源基板であり、上記機構部品が上記キャビネットのリアパネルに外付けされるファンユニットであり、上記取付けビスがメートルねじである請求項１に記載した電気機器キャビネットの機構部品取付構造。
【請求項３】
上記取付けビスの頭部が上記リアパネルの内面に重なり合っている請求項２に記載した電気機器キャビネットの機構部品取付構造。
【発明の詳細な説明】
【技術分野】
【０００１】
本発明は、電気機器キャビネットの機構部品取付構造、特に、電気電子部品とファンユニットなどの機構部品をビス止めしている取付けビスとの相互間隔寸法を一定値以上の寸法に定めることが要求されている電気機器キャビネットの機構部品取付構造に関する。
【背景技術】
【０００２】
キャビネットにファンユニットなどの機構部品が取り付けられているＤＶＤドライブなどの電気機器では、地域によっては、キャビネットに内蔵されている電源基板に搭載されている一次側の電気電子部品（電子素子など）と機構部品をキャビネットにビス止めしている取付けビスとの相互間隔寸法を一定値以上の寸法にすることが要求されている（たとえばＵＬ規格）。そのため、たとえばキャビネットのリアパネルにビス止めによって外付けされる機構部品としてのファンユニットでは、取付けに用いられる取付けビスの種類を限定して上記要求を満たすようにしている。
【０００３】
図３は従来例による電気機器キャビネットの機構部品取付構造を例示した一部破断側面図、図４は従来例による同種の取付構造を例示した一部破断側面図であり、図５には機構部品をビス止めすることに用いられる取付けビスを側面図で示してある。
【０００４】
図３及び図４の事例では、機構部品としてファンユニット１０が選定されていて、そのファンユニット１０がキャビネットのリアパネル２０に１本又は複数本の取付けビス３０を用いて外付け方式でビス止めされている。さらに具体的には、上記リアパネル２０にねじ孔を有する略円筒状の切起し部２１がバーリング加工などにより形成されていて、リアパネル２０の外面に重ね合わされたファンユニット１０のビス挿通孔１２にリアパネル２０の外側から挿入された取付けビス３０のねじ部３１が、上記切起し部２１のねじ孔にねじ込まれている。
【０００５】
これに対し、キャビネットには電源基板としての回路基板４０が収容されていて、その回路基板４０に電気電子部品５０が搭載されている。そして、この電気機器では、回路基板４０に搭載されている電気電子部品５０と取付けビス３０との相互間隔寸法Ａが一定値以上の寸法になっていることが要求されている。このため、ファンユニット１０の組付け工程では、ファンユニット１０を外付けするのに用いる取付けビス３０として、当該取付けビス３０の使用箇所に応じて適切な長さＬを有するものを使用する必要がある。
【０００６】
ところで、図５のように、取付けビス３０には、たとえばサイズの限定されたメートルねじが採用される。この取付けビス３０は、上記した要求を満たすために、使用箇所に応じて、ねじ部３１の長さＬ１やねじ部３１の一端部に備わっている頭部３２の厚さＴ１が決められていて、通常は、その使用箇所に応じた適切な長さの取付けビス３０が用いられる。そのため、電気電子部品５０と取付けビス３０との相互間隔寸法Ａが上記要求を満たす寸法になる。
【０００７】
しかしながら、ファンユニット１０の組付け工程では、場合によっては、適切な長さよりも長い取付けビス３０を用いてファンユニット１０がリアパネル２０に外付けされてしまうという事態が起こり得る。たとえば、図４に例示したように、長さＬが必要以上に長い取付けビス３０が、リアパネル２０の外面に重ね合わされたファンユニット１０のビス挿通孔１２にリアパネル２０の外側から挿入されてリアパネル２０の切起し部２１のねじ孔にねじ込まれてしまうという事態が起こり得る。このようにしてファンユニット１０がリアパネル２０に外付けされると、取付けビス３０のねじ部３１がリアパネル２０の切起し部２１から長く突出してしまい、上記した電気電子部品５０と取付けビス３０との相互間隔寸法Ａが上記要求を満たさなくなってしまう。
【０００８】
先行例では、キャビネットへのスピーカの取付け作業を容易に行うことができるようにするための提案や、スピーカのビビリ音の発生を防止するための提案がなされている（たとえば、特許文献１、特許文献２参照）。また、他の先行例では、拡声スピーカの取付け箇所に工夫を講じることによって、回路基板上の部品配置を容易にすることが提案されている（たとえば、特許文献３参照）。
【先行技術文献】
【特許文献】
【０００９】
【特許文献１】実用新案登録第３０７７５１０号公報
【特許文献２】特開２００９−１００２４８号公報
【特許文献３】特開２００１−６９５８７号公報
【発明の概要】
【発明が解決しようとする課題】
【００１０】
上記したように、図３及び図４を参照して説明した従来例による電気機器キャビネットの機構部品取付構造では、図４に示したように、適切な長さよりも長い取付けビス３０が使用されて、回路基板４０に搭載された電気電子部品５０と取付けビス３０との相互間隔寸法Ａが上記要求を満たさなくなってしまうということが起こり得る。
【００１１】
そこで、このことを考慮して、回路基板４０での電気電子部品５０の搭載位置を、あらかじめリアパネル２０から遠ざけておくことが考えられるけれども、そのような対策を講じると、回路基板４０での電気電子部品５０の配置位置の制約が大きくなる。したがって、そのような対策を講じることは得策ではない。
【００１２】
本発明は、以上の状況に鑑みてなされたものである。すなわち、本発明は、適切な長さの取付けビスを用いてファンユニットなどの機構部品をキャビネットにビス止めした場合は勿論、適切な長さよりも長い取付けビスを用いてファンユニットなどの機構部品がキャビネットにビス止めされた場合であっても、回路基板４０に搭載された電気電子部品５０と取付けビス３０との相互間隔寸法Ａが、上記要求を満たし得る一定値又はほゞ一定値に定まるようにして、回路基板での電気電子部品の配置位置の制約を可及的少なくすることのできる電気機器キャビネットの機構部品取付構造を提供することを目的とする。
【課題を解決するための手段】
【００１３】
本発明に係る電気機器キャビネットの機構部品取付構造は、電気機器キャビネットに収容された回路基板に搭載されている電気電子部品と上記キャビネットに機構部品をビス止めしている取付けビスとの相互間隔寸法を一定値以上の寸法に定めることが要求されている電気機器キャビネットの機構部品取付構造に適用される。そして、上記取付けビスが、上記キャビネットの内側から外側に向けてねじ込まれてその取付けビスの頭部が上記キャビネットの内側に位置している。
【００１４】
この構成であると、回路基板に搭載された電気電子部品と取付けビスとの相互間隔寸法が、キャビネットの内側に位置している取付けビスの頭部と上記電気電子部品との相互間隔寸法に一致するので、長さの異なる取付けビスを使用して機構部品がキャビネットにビス止めされたとしても、上記の相互間隔寸法が取付けビスの長さの相違によって影響を受けない。したがって、適切な長さの取付けビスを用いて機構部品をキャビネットにビス止めした場合は勿論、適切な長さよりも長い取付けビスを用いてファンユニットなどの機構部品がキャビネットにビス止めされた場合であっても、回路基板に搭載された電気電子部品と取付けビスとの相互間隔寸法が、上記の要求を満たし得る一定値又はほゞ一定値に定まる。また、この構成であると、機構部品がキャビネットに外付けされている場合は勿論、機構部品がキャビネットの内面にビス止めされた構成にも適用が可能である。
【００１５】
本発明では、上記回路基板が電源基板であり、上記機構部品が上記キャビネットのリアパネルに外付けされるファンユニットであり、上記取付けビスがメートルねじである、という構成を採用することが可能である。また、上記取付けビスの頭部が上記リアパネルの内面に重なり合っている、という構成を採用することも可能である。この構成は、機構部品がキャビネットに外付けされている場合に適用される。
【発明の効果】
【００１６】
以上のように、本発明によれば、回路基板に搭載された電気電子部品と取付けビスとの相互間隔寸法が、取付けビスの長さの相違によって影響を受けない。したがって、適切な長さの取付けビスを用いて機構部品をキャビネットにビス止めした場合は勿論、適切な長さよりも長い取付けビスを用いてファンユニットなどの機構部品がキャビネットにビス止めされた場合であっても、回路基板に搭載された電気電子部品と取付けビスとの相互間隔寸法が、上記の要求を満たし得る一定値又はほゞ一定値に定まる。このため、回路基板での電気電子部品の配置位置の制約が少なくなる。本発明は、ＤＶＤドライブなどの電気機器のファンユニットをキャビネットに外付けする場合などに特に有利に適用することが可能である。
【図面の簡単な説明】
【００１７】
【図１】本発明の実施形態に係る電気機器キャビネットの機構部品取付構造を例示した一部破断側面図である。
【図２】本発明の実施形態に係る同種の取付構造の他の例を示した一部破断側面図である。
【図３】従来例による電気機器キャビネットの機構部品取付構造を例示した一部破断側面図である。
【図４】従来例による同種の取付構造を例示した一部破断側面図である。
【図５】取付けビスの側面図である。
【発明を実施するための形態】
【００１８】
図１は本発明の実施形態に係る電気機器キャビネットの機構部品取付構造を例示した一部破断側面図、図２は本発明の実施形態に係る同種の取付構造の他の例を示した一部破断側面図である。
【００１９】
図１及び図２の各実施形態では、機構部品としてファンユニット１０が選定されていて、そのファンユニット１０がキャビネットのリアパネル２０に１本又は複数本の取付けビス３０を用いて外付け方式でビス止めされている。さらに具体的には、リアパネル２０にビス挿通孔２２が形成されていて、そのビス挿通孔２２とリアパネル２０の外面に重ね合わされたファンユニット１０のビス挿通孔１２とにリアパネル２０の内側から挿入された取付けビス３０のねじ部３１が挿通されていると共に、その取付けビス３０のねじ部３１が、リアパネル２０の外側でナット３５のねじ孔にねじ込まれて締め付けられている。図１及び図２では、取付けビス３０の相手方としてのねじ孔がナット３５によって形成されているけれども、このねじ孔は、ファンユニット１０のビス止め箇所に直接形成されていてもよい。また、ファンユニット１０のビス止め箇所にナット３５が埋め込まれていてもよい。
【００２０】
図１及び図２の各事例は、いずれも、取付けビス３０が、キャビネットのリアパネル２０の内側から外側に向けてねじ込まれてその取付けビス３０の頭部３２がリアパネル２０の内側に位置している。さらに具体的には、取付けビス３０の頭部３２がリアパネル２０内面に重なり合っている。
【００２１】
図１の事例は取付けビス３０が適切な長さを有しているのに対し、図２の事例では、図１の事例よりも長さの長い取付けビス３０が使用されている。それにもかかわらず、図１及び図２の事例を併せ見ることによって判るように、いずれも取付けビス３０の頭部３２がリアパネル２０の内面に重なり合っているので、回路基板４０に搭載されている電気電子部品５０と取付けビス３０との相互間隔寸法Ａは同一又は略同一になっている。したがって、図１及び図２に示した各実施形態によると、取付けビス３０の長さＬが上記の相互間隔寸法Ａに影響を与えていない。したがって、図１のように適切な長さの取付けビス３０を用いてファンユニット１０をリアパネル２０に外付けした場合は勿論、図２のように長さの長い取付けビス３０を用いてファンユニット１０がリアパネル２０に外付けされた場合であっても、回路基板４０に搭載された電気電子部品５０と取付けビス３０との相互間隔寸法Ａが、上記の要求を満たし得る一定値又はほゞ一定値に定まることになる。このことは、回路基板４０での電気電子部品５０の配置位置の制約を少なくすることに役立つ。
【００２２】
図１及び図２に示した各実施形態は、いずれも、ファンユニット１０がリアパネル２０に外付けされた事例を示しているけれども、ファンユニットやその他の機構部品が、リアパネルひいてはキャビネットの内面に内付け方式でビス止めされることもあり得る。この場合、取付けビスの頭部がリアパネルの内面に重なり合うことはないけれども、取付けビスの頭部はリアパネル又はキャビネットの内側に位置するので、取付けビス３０の長さが、回路基板に搭載された電気電子部品と取付けビスとの相互間隔寸法に影響を及ぼすことはない。したがって、この場合にも、上記の相互間隔寸法が、上記の要求を満たし得る一定値又はほゞ一定値に定まることになる。
【００２３】
また、ファンユニット１０などの機構部品は、キャビネットのリアパネル２０に取り付けられるとは限らず、キャビネットの側面や底面、あるいは上面に取り付けられることもある。
【００２４】
なお、機構部品には、上記したファンユニット１０のほかに、チューナー、各種のコネクタなどの部品が含まれる。
【符号の説明】
【００２５】
１０  ファンユニット（機構部品）
２０  キャビネットのリアパネル（キャビネット）
３０  取付けビス
３２  取付けビスの頭部
４０  回路基板
５０  電気電子部品
Ａ  電気電子部品と取付けビスとの相互間隔寸法
【図１】
2012014207.tif 000003
【図２】
2012014207.tif 000004
【図３】
2012014207.tif 000005
【図４】
2012014207.tif 000006
【図５】
2012014207.tif 000007